(57)【要約】【課題】操作者が意図しない設定項目を誤って変更してしまうことを防止する。【解決手段】被写体を撮影する電子カメラ１００において、電子カメラの各種の機能の設定状態を表わすメニューを表示する表示部５４と、メニュー上の各種の設定項目の内から少なくとも１つの設定項目を選択する選択部７０と、選択部により選択された設定項目の設定状態の変更を禁止する設定変更禁止部５０とを具備する。【選択図】      図１
2005175713.tif 000002
【特許請求の範囲】
【請求項１】
被写体を撮影する電子カメラにおいて、
電子カメラの各種の機能の設定状態を表わすメニューを表示する表示手段と、
前記メニュー上の各種の設定項目の内から少なくとも１つの設定項目を選択する選択手段と、
該選択手段により選択された設定項目の設定状態の変更を禁止する設定変更禁止手段と、
を具備することを特徴とする電子カメラ。
【請求項２】
前記選択手段は前記各種の設定項目の内の複数の設定項目を一括して選択可能であり、前記設定変更禁止手段は前記選択手段により選択された前記複数の設定項目を一括して設定状態の変更を禁止する状態に設定可能であることを特徴とする請求項１に記載の電子カメラ。
【請求項３】
前記選択手段は前記各種の設定項目の内の１つの設定項目を選択可能であり、前記設定変更禁止手段は前記選択手段により選択された前記１つの設定項目を設定状態の変更を禁止する状態に設定可能であることを特徴とする請求項１に記載の電子カメラ。
【請求項４】
前記表示手段は、複数種類のメニューを表示可能であるとともに、前記選択手段は、前記複数種類のメニューにまたがって、複数の設定項目を選択可能であり、前記設定変更禁止手段は前記選択手段により選択された前記複数種類のメニューにまたがる複数の設定項目を一括して設定状態の変更を禁止する状態に設定可能であることを特徴とする請求項１に記載の電子カメラ。
【請求項５】
前記表示手段は、それぞれ複数種類の設定項目を有する複数種類のメニューを表示可能であるとともに、前記選択手段は、前記複数種類のメニューの内の１つのメニューを選択することにより、該１つのメニュー内の複数の設定項目を一括して選択可能であり、前記設定変更禁止手段は前記選択手段により選択された前記１つのメニュー内の前記複数の設定項目を一括して設定状態の変更を禁止する状態に設定可能であることを特徴とする請求項１に記載の電子カメラ。
【請求項６】
前記表示手段は、それぞれ複数種類の設定項目を有する複数種類のメニューを表示可能であるとともに、前記選択手段は、前記複数種類のメニューの内の複数のメニューを選択することにより、該複数のメニュー内の複数の設定項目を一括して選択可能であり、前記設定変更禁止手段は前記選択手段により選択された前記複数のメニュー内の前記複数の設定項目を一括して設定状態の変更を禁止する状態に設定可能であることを特徴とする請求項１に記載の電子カメラ。
【請求項７】
前記表示手段は、前記各種の設定項目のうちの設定状態の変更を禁止した設定項目を視覚的に明示可能であることを特徴とする請求項１に記載の電子カメラ。
【請求項８】
前記表示手段は、前記各種の設定項目のうちの設定状態の変更を禁止した設定項目の表示濃度を変更することにより、設定状態の変更を禁止した設定項目を明示することを特徴とする請求項７に記載の電子カメラ。
【請求項９】
前記表示手段は、前記各種の設定項目のうちの設定状態の変更を禁止した設定項目の表示色を変更することにより、設定状態の変更を禁止した設定項目を明示することを特徴とする請求項７に記載の電子カメラ。
【請求項１０】
前記表示手段は、前記設定状態の変更を禁止した設定項目を１つの画面に集約することで、設定状態の変更を禁止した設定項目を明示することを特徴とする請求項７に記載の電子カメラ。
【請求項１１】
設定状態の変更を禁止した設定項目に対して設定状態を変更しようと試みた場合に、設定状態の変更が禁止されていることを警告する警告手段をさらに具備することを特徴とする請求項１に記載の電子カメラ。
【請求項１２】
前記設定項目の中に設定変更を禁止する項目が存在する場合、その設定項目自体は、設定状態の変更を禁止する対象項目から除外されることを特徴とする請求項１に記載の電子カメラ。
【請求項１３】
被写体を撮影する電子カメラを制御する方法であって、
電子カメラの各種の機能の設定状態を表わすメニューを表示する表示工程と、
前記メニュー上の各種の設定項目の内から少なくとも１つの設定項目を選択する選択工程と、
該選択工程において選択された設定項目の設定状態の変更を禁止する設定変更禁止工程と、
を具備することを特徴とする電子カメラの制御方法。
【請求項１４】
請求項１３に記載の制御方法をコンピュータに実行させることを特徴とするプログラム。
【請求項１５】
請求項１４に記載のプログラムをコンピュータ読み取り可能に記憶したことを特徴とする記憶媒体。
【発明の詳細な説明】
【技術分野】
【０００１】
本発明は、静止画像や動画像を撮像、記録、再生する電子カメラ及びそれを制御する技術に関するものである。
【背景技術】
【０００２】
従来、メニュー機能を利用して種々の設定を行う電子カメラが知られている。このような電子カメラでは、モニタ画面上に提示されるメニュー項目に沿って、カーソル移動と選択という簡単な操作を繰り返すことにより、目的の設定事項に確実かつ直感的に到達することが可能となる。その結果、個々の設定事項について、専用の操作手順などを事前に覚える必要がなくなり、電子カメラの設定操作が一段と簡単になる。
【０００３】
また、メニュー機能により、複雑で多岐に渡る設定項目を整理して提示することができる。たとえば、使用頻度に応じて階層化して、使用頻度が高いものを上位の階層に提示し、使用頻度の低いものを下位の階層に提示するメニューが提案されている。また、機能毎にメニュー項目を分類し、それぞれのメニュー画面を複数用意したメニューなどが提案されている。
【特許文献１】特開平１１−２６１８５２号公報
【発明の開示】
【発明が解決しようとする課題】
【０００４】
この様な従来の電子カメラにおいては、メニュー機能の利用により簡単に設定を変更できるため、操作者が意図しない設定項目も容易に変更することが可能となる。そのために、操作者が誤って設定項目を変更してしまう場合が発生する。多岐にわたるメニュー項目の中で、意識せずに変更してしまった設定を元に戻すことは非常に手間のかかる作業であった。
【０００５】
また、複数台の電子カメラを同一設定で使用して撮影する場合などには、操作者は設定変更をしてもよい項目と、変更してはいけない項目を意識しなくてはならず、通常の操作以外に労力を必要とする作業となっていた。
【０００６】
従って、本発明は上述した課題に鑑みてなされたものであり、その目的は、操作者が意図しない設定項目を誤って変更してしまうことを防止することである。
【課題を解決するための手段】
【０００７】
上述した課題を解決し、目的を達成するために、本発明に係わる電子カメラは、被写体を撮影する電子カメラにおいて、電子カメラの各種の機能の設定状態を表わすメニューを表示する表示手段と、前記メニュー上の各種の設定項目の内から少なくとも１つの設定項目を選択する選択手段と、該選択手段により選択された設定項目の設定状態の変更を禁止する設定変更禁止手段と、を具備することを特徴とする。
【０００８】
また、この発明に係わる電子カメラにおいて、前記選択手段は前記各種の設定項目の内の複数の設定項目を一括して選択可能であり、前記設定変更禁止手段は前記選択手段により選択された前記複数の設定項目を一括して設定状態の変更を禁止する状態に設定可能であることを特徴とする。
【０００９】
また、この発明に係わる電子カメラにおいて、前記選択手段は前記各種の設定項目の内の１つの設定項目を選択可能であり、前記設定変更禁止手段は前記選択手段により選択された前記１つの設定項目を設定状態の変更を禁止する状態に設定可能であることを特徴とする。
【００１０】
また、この発明に係わる電子カメラにおいて、前記表示手段は、複数種類のメニューを表示可能であるとともに、前記選択手段は、前記複数種類のメニューにまたがって、複数の設定項目を選択可能であり、前記設定変更禁止手段は前記選択手段により選択された前記複数種類のメニューにまたがる複数の設定項目を一括して設定状態の変更を禁止する状態に設定可能であることを特徴とする。
【００１１】
また、この発明に係わる電子カメラにおいて、前記表示手段は、それぞれ複数種類の設定項目を有する複数種類のメニューを表示可能であるとともに、前記選択手段は、前記複数種類のメニューの内の１つのメニューを選択することにより、該１つのメニュー内の複数の設定項目を一括して選択可能であり、前記設定変更禁止手段は前記選択手段により選択された前記１つのメニュー内の前記複数の設定項目を一括して設定状態の変更を禁止する状態に設定可能であることを特徴とする。
【００１２】
また、この発明に係わる電子カメラにおいて、前記表示手段は、それぞれ複数種類の設定項目を有する複数種類のメニューを表示可能であるとともに、前記選択手段は、前記複数種類のメニューの内の複数のメニューを選択することにより、該複数のメニュー内の複数の設定項目を一括して選択可能であり、前記設定変更禁止手段は前記選択手段により選択された前記複数のメニュー内の前記複数の設定項目を一括して設定状態の変更を禁止する状態に設定可能であることを特徴とする。
【００１３】
また、この発明に係わる電子カメラにおいて、前記表示手段は、前記各種の設定項目のうちの設定状態の変更を禁止した設定項目を視覚的に明示可能であることを特徴とする。
【００１４】
また、この発明に係わる電子カメラにおいて、前記表示手段は、前記各種の設定項目のうちの設定状態の変更を禁止した設定項目の表示濃度を変更することにより、設定状態の変更を禁止した設定項目を明示することを特徴とする。
【００１５】
また、この発明に係わる電子カメラにおいて、前記表示手段は、前記各種の設定項目のうちの設定状態の変更を禁止した設定項目の表示色を変更することにより、設定状態の変更を禁止した設定項目を明示することを特徴とする。
【００１６】
また、この発明に係わる電子カメラにおいて、前記表示手段は、前記設定状態の変更を禁止した設定項目を１つの画面に集約することで、設定状態の変更を禁止した設定項目を明示することを特徴とする。
【００１７】
また、この発明に係わる電子カメラにおいて、設定状態の変更を禁止した設定項目に対して設定状態を変更しようと試みた場合に、設定状態の変更が禁止されていることを警告する警告手段をさらに具備することを特徴とする。
【００１８】
また、この発明に係わる電子カメラにおいて、前記設定項目の中に設定変更を禁止する項目が存在する場合、その設定項目自体は、設定状態の変更を禁止する対象項目から除外されることを特徴とする。
【００１９】
また、本発明に係わる電子カメラの制御方法は、被写体を撮影する電子カメラを制御する方法であって、電子カメラの各種の機能の設定状態を表わすメニューを表示する表示工程と、前記メニュー上の各種の設定項目の内から少なくとも１つの設定項目を選択する選択工程と、該選択工程において選択された設定項目の設定状態の変更を禁止する設定変更禁止工程と、を具備することを特徴とする。
【００２０】
また、本発明に係わるプログラムは、上記の制御方法をコンピュータに実行させることを特徴とする。
【００２１】
また、本発明に係わる記憶媒体は、上記のプログラムをコンピュータ読み取り可能に記憶したことを特徴とする。
【発明の効果】
【００２２】
本発明によれば、操作者が意図しない設定項目を誤って変更してしまうことが防止される。
【００２３】
また、複数台の電子カメラを同一設定で使用し撮影する場合に、設定の変更がなされてしまうことが防止される。
【発明を実施するための最良の形態】
【００２４】
以下、本発明の好適な実施形態について、図面を参照して詳細に説明する。
【００２５】
（第１の実施形態）
図１は、本発明の第１の実施形態に係わる電子カメラの構成を示す図である。
【００２６】
図１において、１００は電子カメラである。
【００２７】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２８】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００２９】
２０は画像処理回路であり、 Ａ／Ｄ変換器１６からのデータ或いはメモリ制御回路２２からのデータに対して所定の画素補間処理や色変換処理を行う。
【００３０】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００３１】
さらに、画像処理回路２０においては、撮像した画像データを用いて所定の演算処理を行い、得られた演算結果に基づいてＴＴＬ方式のＡＷＢ（オートホワイトバランス）処理も行っている。
【００３２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３３】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３４】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００３５】
画像表示部２８を用いて撮像した画像データを逐次表示すれば、電子ファインダー機能を実現することが可能である。
【００３６】
また、画像表示部２８は、システム制御回路５０の指示により任意に表示をＯＮ／ＯＦＦすることが可能であり、表示をＯＦＦにした場合には電子カメラ１００の電力消費を大幅に低減することが出来る。
【００３７】
３０は撮影した静止画像や動画像を格納するためのメモリであり、所定枚数の静止画像や所定時間の動画像を格納するのに十分な記憶量を備えている。
【００３８】
これにより、複数枚の静止画像を連続して撮影する連射撮影やパノラマ撮影の場合にも、高速かつ大量の画像書き込みをメモリ３０に対して行うことが可能となる。
【００３９】
また、メモリ３０はシステム制御回路５０の作業領域としても使用することが可能である。
【００４０】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００４１】
４０は絞り機能を備えるシャッター１２を制御する露光制御手段であり、フラッシュ４８と連携することによりフラッシュ調光機能も有するものである。
【００４２】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００４３】
４８はフラッシュであり、ＡＦ補助光の投光機能、フラッシュ調光機能も有する。
【００４４】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００４５】
５０は電子カメラ１００全体を制御するシステム制御回路、５２はシステム制御回路５０の動作用の定数、変数、プログラム等を記憶するメモリである。
【００４６】
５４はシステム制御回路５０でのプログラムの実行に応じて、文字、画像、音声等を用いて動作状態やメッセージ等を表示する液晶表示装置、スピーカー等の表示部であり、電子カメラ１００の操作部近辺の視認し易い位置に単数或いは複数個所設置され、例えばＬＣＤやＬＥＤ、発音素子等の組み合わせにより構成されている。
【００４７】
また、表示部５４は、その一部の機能が光学ファインダー１０４内に設置されている。
【００４８】
表示部５４の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００４９】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００５０】
５６は電気的に消去・記録可能な不揮発性メモリであり、例えばＥＥＰＲＯＭ等が用いられる。
【００５１】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００５２】
ここで、これらの操作手段の具体的な説明を行う。
【００５３】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００５４】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５５】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５６】
６６は画像表示ＯＮ／ＯＦＦスイッチで、画像表示部２８のＯＮ／ＯＦＦを設定することが出来る。
【００５７】
この機能により、光学ファインダー１０４を用いて撮影を行う際に、ＴＦＴ  ＬＣＤ等から成る画像表示部への電流供給を遮断することにより、省電力を図ることが可能となる。
【００５８】
６８はクイックレビューＯＮ／ＯＦＦスイッチで、撮影直後に撮影した画像データを自動再生するクイックレビュー機能を設定する。
【００５９】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、メニュー項目移動＋（プラス）ボタン、メニュー項目移動−（マイナス）ボタン、再生画像移動＋（プラス）ボタン、再生画像移動−（マイナス）ボタン、撮影画質選択ボタン、露出補正ボタン、日付/時間設定ボタン等がある。
【００６０】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００６１】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６２】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００６３】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００６４】
インターフェース及びコネクタとしては、ＰＣＭＣＩＡカードやコンパクトフラッシュ（登録商標）カード（ＣＦカード）等の規格に準拠したものを用いて構成して構わない。
【００６５】
さらに、インタフェース９０及び９４、そしてコネクタ９２及び９６をＰＣＭＣＩＡカードやコンパクトフラッシュ（登録商標）カード（ＣＦカード）等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６６】
１０２は、電子カメラ１００のレンズ１０を含む撮像部を覆うことにより、撮像部の汚れや破損を防止するバリアである保護手段である。
【００６７】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６８】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６９】
１１２は通信手段１１０により電子カメラ１００を他の機器と接続するコネクタ或いは無線通信の場合はアンテナである。
【００７０】
２００はメモリカードやハードディスク等の記録媒体である。
【００７１】
記録媒体２００は、半導体メモリや磁気ディスク等から構成される記録部２０２、電子カメラ１００とのインタフェース２０４、電子カメラ１００と接続を行うコネクタ２０６を備えている。
【００７２】
２１０はメモリカードやハードディスク等の記録媒体である。
【００７３】
記録媒体２１０は、半導体メモリや磁気ディスク等から構成される記録部２１２、電子カメラ１００とのインタフェース２１４、電子カメラ１００と接続を行うコネクタ２１６を備えている。
【００７４】
図２から図４を参照して、第１の実施形態の動作を説明する。
【００７５】
図２は本実施形態の電子カメラ１００のメニュー階層構造を示した図である。
【００７６】
図２を用いて、画像処理装置１００の動作を説明する。
【００７７】
操作部７０にあるメニューボタンを押すと、システム制御回路５０はメニュー表示動作を行う。メニューは表示部５４に映し出される。メニューは撮影メニューＭ１００、再生メニューＭ２００、設定メニューＭ３００からなっており、初めに表示されるのは撮影メニューＭ１００である。メニュー移動＋（プラス）ボタンやメニュー移動−（マイナス）ボタンを押すことで、上記撮影メニューＭ１００から再生メニューＭ２００、設定メニューＭ３００へと移動させることができる。選択したい項目が存在するメニューに移動させた後に、メニュー項目移動＋（プラス）ボタン、メニュー項目移動−（マイナス）ボタンを使用して選択する項目にカーソルを移動させ、セットボタンでメニュー項目を選択する。
【００７８】
本実施形態によるメニュー項目の変更の許可・禁止は設定メニューＭ３００内のメニュープロテクトによる。よって、メニュー移動＋（プラス）ボタンやメニュー移動−（マイナス）ボタンで設定メニューＭ３００を表示させ、その後メニュー項目移動＋（プラス）ボタン、メニュー項目移動−（マイナス）ボタンを使用してメニュープロテクトにカーソルを合わせた状態にして、セットボタンを押すことでメニュープロテクトを選択したことになる。
【００７９】
メニュープロテクトを選択すると、図２のメニュープロテクトＭ３１３が表示される。メニュープロテクトＭ３１３には「１項目選択」「１項目解除」「グループ選択」「グループ解除」の４つの項目が存在する。
【００８０】
「１項目選択」では、１つのメニュー項目を設定変更禁止（プロテクト）にする場合に選択する。
【００８１】
「１項目解除」では、設定変更禁止（プロテクト）状態であるメニュー項目を１つ解除（設定変更許可）する場合に選択する。
【００８２】
「グループ設定」では、メニュー項目を複数まとめて設定変更禁止（プロテクト）にする場合に選択する。
【００８３】
「グループ解除」では、設定変更禁止（プロテクト）状態であるメニュー項目を複数まとめて解除（設定変更許可）する場合に選択する。
【００８４】
「１項目選択」を選択した場合には、設定変更禁止にする項目を次に選択することになる。図３は「１項目選択」を選択した場合のフローチャートである。これを使用して説明する。
【００８５】
設定変更禁止としたいメニュー項目が「色温度設定」であった場合には、メニュー移動＋（プラス）ボタン、メニュー移動−（マイナス）ボタンを押して、撮影メニューＭ１００に移動させる。この場合、キー入力待ち（Ｓ１００）状態から、キー入力があったことを検知すると、メニュー移動ボタンであったかどうかを判定（Ｓ１０１）する。キー入力がメニュー移動ボタンであった場合には、メニューを移動させる（Ｓ１０２）。撮影メニューまで移動させた後に、メニュー項目移動＋（プラス）ボタン、メニュー項目移動−（マイナス）ボタンを押して、「色温度設定」までカーソルを移動させる。この場合、キー入力待ち（Ｓ１００）からメニュー移動ボタンでないことが判定され（Ｓ１０１）、次にメニュー項目移動ボタンであったことが判定される（Ｓ１０３）。メニュー項目移動ボタンが操作されて、選択メニューを表すカーソルが移動する（Ｓ１０４）。「色温度設定」までカーソルを移動させたところで、セットボタンを押す。これにより、設定変更禁止（プロテクト）にする項目か否かを判定する必要がある。セットボタンの入力であると判定されると（Ｓ１０５）、この項目が設定変更禁止（プロテクト）にする項目かを確認し（Ｓ１０６）、設定変更禁止項目であった場合には、設定変更禁止状態にする（Ｓ１０８）。この場合、選択されたメニュー項目が設定変更禁止状態になったことを記憶しておく必要がある。ここでは、「色温度設定」が設定変更禁止したいメニュー項目であるのでＳ１０６の確認段階で設定変更禁止項目であると選択することで設定変更禁止状態になる。もしも、設定変更禁止項目でない場合には、このときにセットボタンを押す動作は、そのメニュー項目のさらに下の階層に入ることを意味しているので、メニュー項目のさらに下の階層を表示するように動作する（Ｓ１０７）。たとえば、設定メニューＭ３００内にある「日時設定」の中の「日付設定」だけを設定変更禁止したい場合などがこれに相当する。
【００８６】
このようにメニュー項目の設定を変更禁止にすることで、使用者の誤操作などにより設定が変わってしまい、意図しない撮影結果を生じてしまう問題を防止することができる。
【００８７】
「グループ選択」を選択した場合には、設定変更禁止にするメニューを次に選択することになる。図４は「グループ選択」を選択した場合のフローチャートである。これを使用して説明する。設定変更禁止にしたいメニューが撮影メニューで合った場合、メニュー移動＋（プラス）ボタンやメニュー移動−（マイナス）ボタンで撮影メニューＭ１００を表示させる。この場合、キー入力待ち（Ｓ２００）からキー入力があったことが検知されると、メニュー移動キーか否かが判定される（Ｓ２０１）。ここでメニュー移動キーならば、メニュー表示が切り替えられる。撮影メニューＭ１００が表示されたら、セットボタンを押すことで設定変更禁止にするか否かを選択することができる。この場合、キー入力がセットボタンであったことが判定されると（Ｓ２０３）、設定変更禁止にするかの判定が必要である。設定変更禁止の判定（Ｓ２０４）により設定変更禁止メニューであると判定されると設定変更禁止状態になる（Ｓ２０５）。設定変更禁止メニューでない場合には、メニュー移動から再度設定しなおすことができる。この場合、設定禁止状態となると撮影メニュー内の全てのメニュー項目である「マニュアルＷＢ」「色温度設定」「ＲＡＷモード設定」「クイックレビュー」「クイックレビュー時間」の全てが設定変更禁止状態になる。ここでは、一括で複数のメニュー項目を設定変更禁止状態にしたが、各メニューそれぞれで設定変更禁止状態であることを記憶しておく必要がある。なぜなら、一括で複数のメニューを設定変更禁止にしておいて、その後１つずつメニュー項目を選択して、設定変更許可にする場合があるからである。
【００８８】
このように、数多くのメニュー項目を設定変更禁止にする場合でも操作手順を減らすことができ、使用者の誤操作などにより設定が変わってしまい、意図しない撮影結果を生じてしまう問題を防止することができる。
【００８９】
ここでの「グループ選択」の例では、メニューの上位層からまとめて設定変更禁止・許可を行う例を示したが、メニューをまたがる複数のメニュー項目を選択して、最後にまとめて設定変更禁止・許可を設定してもよい。たとえば、撮影メニューＭ１００内の「色温度設定」と再生メニューＭ２００内の「画像削除」を選択してから、まとめて設定変更禁止としてもよい。
【００９０】
（第２の実施形態）
図５から図７により第２の実施形態について説明する。
【００９１】
メニュー項目の設定変更禁止・許可の設定方法は上記第１の実施形態と同様である。図３の設定メニューＭ３００内のメニュープロテクトを選択した後に、メニュー移動＋（プラス）ボタン、メニュー移動−（マイナス）ボタンを押してメニュー間の移動を行う。そして、メニュー項目移動＋（プラス）ボタン、メニュー項目移動−（マイナス）ボタンを押すことで、選択しているメニュー項目を示すカーソルを移動させる。設定変更禁止・許可を行いたいメニュー項目を選択したところでセットボタンを押して、設定変更禁止・許可を選択できる。
【００９２】
この場合、設定変更禁止・許可を設定する前に図１の表示部５４に表示されるメニュー画面を表したものが図５である。選択可能なメニュー項目は濃色で表示されており、使用者に対して設定変更が可能であることを示している。
【００９３】
「１項目選択」により「色温度設定」だけを選択して設定変更禁止にした場合のメニュー画面を表したものが図６である。「色温度設定」のメニュー項目が淡色で表示されており、使用者に設定変更禁止状態であることを表現している。
【００９４】
「グループ選択」により、撮影メニューを選択して設定変更禁止にした場合のメニュー画面を表したものが図７である。撮影メニューの項目全てが淡色で表現されており、使用者に設定変更禁止状態であることを表現している。ここでは、メニューのタブ部分に表示されている「撮影」の文字も淡色で表示している。全てのメニュー項目が設定変更禁止状態であり、１つも設定できる項目が存在しないことを表現している。
【００９５】
以上のように、本実施形態によって設定変更を禁止することで、誤った操作による設定が変更されてしまう問題を解決することができる。また、設定変更禁止となっているメニュー項目とそうでないメニュー項目を色の変化で表現することで、使用者に対してその区別を容易にすることが可能となる。
【００９６】
ここでは、色の変化での表現を色の濃淡で表したが、異なった色で表現しても構わない。また、「グループ選択」で上記実施形態ではメニューのタブ部分までも色の変化をつけて表現しているが、この部分までも色の変化が付かずにメニュー項目の部分だけの色表現であっても構わない。
【００９７】
（第３の実施形態）
図５および図８から図９により第３の実施形態を説明する。
【００９８】
メニュー項目の設定変更禁止・許可の設定方法は上記第１の実施形態と同様である。図３の設定メニューＭ３００内のメニュープロテクトを選択した後に、メニュー移動＋（プラス）ボタン、メニュー移動−（マイナス）ボタンを押してメニュー間の移動を行う。そして、メニュー項目移動＋（プラス）ボタン、メニュー項目移動−（マイナス）ボタンを押すことで、選択しているメニュー項目を示すカーソルを移動させる。設定変更禁止・許可を行いたいメニュー項目を選択したところでセットボタンを押して、設定変更禁止・許可を選択できる。
【００９９】
この場合、設定変更禁止・許可を設定する前に図１の表示部５４に表示されるメニュー画面を表したものが図５である。
【０１００】
ここで「色温度設定」を設定変更禁止とした場合、撮影メニューから「色温度設定」項目が削除されて、別途設定変更禁止となったメニュー項目を集めたメニューに移動した画面が表示される。図８は撮影メニューから「色温度設定」のメニュー項目が削除されたメニュー画面を表した図である。それと同時に、それまではなかった「保護」メニューが生成されていることを表している。新たに生成された保護メニューを表示した図が図９である。保護メニュー内には設定変更禁止された「色温度設定」項目が移動しており、設定変更禁止されたことが分かる。
【０１０１】
設定変更禁止となったメニュー項目は、設定変更許可に設定が戻されたときに、元あったメニューの場所に戻ることになる。この実施形態では再び図５の表示状態に戻ることとなる。
【０１０２】
以上のように、本実施形態によって設定変更を禁止することで、誤った操作による設定が変更されてしまう問題を解決することができる。また、設定変更禁止となっているメニュー項目を別のメニューに集約することで、使用者に対して設定変更禁止となったメニューの判別を容易にすることが可能となる。
【０１０３】
ここでは、設定変更禁止とする最初のメニュー項目が設定された時点で、新たなメニューである「保護」メニューが生成され、また最後の設定変更禁止と設定されているメニュー項目がなくなった時点で、「保護」メニューは削除されているが、設定変更禁止・許可されたメニュー項目があるなしに関わらず最初から「保護」メニューが存在していても構わない。
【０１０４】
（第４の実施形態）
図５および図１０により第４の実施形態を説明する。
【０１０５】
メニュー項目の設定変更禁止・許可の設定方法は上記第１の実施形態と同様である。図３の設定メニューＭ３００内のメニュープロテクトを選択した後に、メニュー移動＋（プラス）ボタン、メニュー移動−（マイナス）ボタンを押してメニュー間の移動を行う。そして、メニュー項目移動＋（プラス）ボタン、メニュー項目移動−（マイナス）ボタンを押すことで、選択しているメニュー項目を示すカーソルを移動させる。設定変更禁止・許可を行いたいメニュー項目を選択したところでセットボタンを押して、設定変更禁止・許可を選択できる。
【０１０６】
「１項目選択」により「色温度設定」だけを選択して設定変更禁止にした場合のメニュー画面を表したものが図６である。「色温度設定」のメニュー項目が淡色で表示されており、使用者に設定変更禁止状態であることを表現している。
【０１０７】
ここで、設定変更禁止にした「色温度設定」のメニュー項目を変更しようと試みた場合、使用者に対して変更しようとしているメニュー項目が設定変更禁止になっており変更できないことを明示する。この場合、表示されるメニュー画面を表したのが図１０である。
【０１０８】
以上のように、本実施形態によって設定変更禁止されている項目を変更しようと試みた場合に、変更できないメニュー項目を明示することで、使用者が誤操作によってメニュー項目を変更しようとしていることを通知することができ、使用者が誤操作によるメニュー項目の変更をしてしまう問題点を解決することができる。
【０１０９】
ここでは、使用者への警告方法として設定変更できないことを表したダイアログを表示しているが、設定変更しようとしたときに音を出すことで変更できないことを警告しても構わない。
【０１１０】
以上説明したように、上記の実施形態によれば、第１に、撮像した静止画像及び或いは動画像を記録媒体に記録及び画像表示する電子カメラであって、前記画像表示手段にメニューを提示し、メニュー項目の手動選択を受け付けるメニュー提示手段と、前記メニュー提示手段を介して手動選択されたメニュー項目に応じて、予め定められた設定動作を実行する設定手段とを備えた電子カメラにおいて、前記メニュー設定手段はメニュー項目の変更の許可・禁止を選択することが可能であることを特徴とする電子カメラを提供することが可能となる。
【０１１１】
第２に、上記第１の電子カメラにおいて、全てのメニュー項目に対して一括でメニュー項目の変更の許可・禁止を選択することが可能であることを特徴とする電子カメラを提供することが可能となる。
【０１１２】
第３に、上記第１の電子カメラにおいて、１つのメニュー項目に対してメニュー項目の変更の許可・禁止を選択することが可能であることを特徴とする電子カメラを提供することが可能となる。
【０１１３】
第４に、上記第１の電子カメラにおいて、複数のメニューを選択し、選択したメニュー項目に対してメニュー項目の変更の許可・禁止を選択することが可能であることを特徴とする電子カメラを提供することが可能となる。
【０１１４】
第５に、上記第１の電子カメラにおいて、複数の選択されたメニューを１つのグループとして扱うグループ化手段をもち、グループ化されたメニューに対して、設定の変更の許可・禁止を選択することが可能であることを特徴とする電子カメラを提供することが可能となる。
【０１１５】
第６に、撮像した静止画像及び或いは動画像を記録媒体に記録及び画像表示する電子カメラであって、前記画像表示手段に機能毎に分類化された複数のメニュー画面からなるメニューを提示し、メニュー項目の手動選択を受け付けるメニュー提示手段と、前記メニュー提示手段を介して手動選択されたメニュー項目に応じて、予め定められた設定動作を実行する設定手段とを備えた電子カメラにおいて、前記メニュー設定手段はメニュー項目の変更の許可・禁止を選択することが可能であることを特徴とする電子カメラを提供することが可能となる。
【０１１６】
第７に、上記第６の電子カメラにおいて、機能毎に分類された複数のメニュー画面全てに対して一括でメニュー項目の変更の許可・禁止を選択することが可能であることを特徴とする電子カメラを提供することが可能となる。
【０１１７】
第８に、上記第６の電子カメラにおいて、機能毎に分類された複数のメニュー画面の内、１つのメニュー画面を選択し、選択したメニュー画面に含まれる全てのメニュー項目に対して変更の許可・禁止を選択することが可能であることを特徴とする電子カメラを提供することが可能となる。
【０１１８】
第９に、上記第６の電子カメラにおいて、機能毎に分類された複数のメニュー画面の内、複数のメニュー画面を選択し、選択したメニュー画面に含まれる全てのメニュー項目に対して変更の許可・禁止を選択することが可能であることを特徴とする電子カメラを提供することが可能となる。
【０１１９】
第１０に、上記第６の電子カメラにおいて、機能毎に分類された複数のメニュー画面の内、選択された複数のメニュー画面を１つのグループとして扱うグループ化手段を持ち、グループ化されたメニューに対して、設定の変更の許可・禁止を選択することが可能であることを特徴とする電子カメラを提供することが可能となる。
【０１２０】
第１１に、上記第６の電子カメラにおいて、機能毎に分類された複数のメニュー画面の内、１つのメニュー項目に対してメニュー項目の変更の許可・禁止を選択することが可能であることを特徴とする電子カメラを提供することが可能となる。
【０１２１】
第１２に、上記第６の電子カメラにおいて、機能毎に分類された複数のメニュー画面の内、複数のメニュー項目を選択し、選択したメニュー項目に対してメニュー項目の変更の許可・禁止を選択することが可能であることを特徴とする電子カメラを提供することが可能である。
【０１２２】
第１３に、上記第６の電子カメラにおいて、機能毎に分類された複数のメニュー画面の内、選択されたメニュー項目を１つのグループとして扱うグループ化手段を持ち、グループ化されたメニューに対して、設定の変更の許可・禁止を選択することが可能であることを特徴とする電子カメラを提供することが可能である。
【０１２３】
第１４に、上記第１または第６の電子カメラにおいて、設定の変更を禁止したメニュー項目を明示できることを特徴とする電子カメラを提供することが可能である。
【０１２４】
第１５に、上記第１４の電子カメラにおいて、設定の変更を禁止したメニュー項目を明示する手段が色であることを特徴とする電子カメラを提供することが可能である。
【０１２５】
第１６に、上記第１４の電子カメラにおいて、設定の変更を禁止したメニュー項目を１つの画面に集約することで、設定の変更を禁止したメニューであることを明示できることを特徴とする電子カメラを提供することが可能である。
【０１２６】
第１７に、上記第１または第６または第１４の電子カメラにおいて、設定の変更を禁止したメニュー項目に対して設定手段を用いて設定を変更しようと試みた場合に、設定の変更が禁止されていることを警告できることを特徴とする電子カメラを提供することが可能である。
【０１２７】
第１８に、第１または第６または第１４または第１７の電子カメラにおいて、メニュー項目の中に設定の変更を許可・禁止を選択する項目が存在する場合、そのメニュー項目自体は、設定変更の許可・禁止可能なメニュー項目から除外されることを特徴とする電子カメラを提供することが可能である。
【０１２８】
上記手段により、操作者が誤って設定項目を変更してしまうという問題を発生することのない電子カメラを提供することが可能となる。
【０１２９】
また、複数台の電子カメラを同一設定で使用し撮影する場合に、設定の変更がなされてしまう問題のない電子カメラを提供することができる。
【０１３０】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１３１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１３２】
本発明を上記記憶媒体に適用する場合、その記憶媒体には、先に説明したフローチャートに対応するプログラムコードが格納されることになる。
【図面の簡単な説明】
【０１３３】
【図１】本発明の実施形態の電子カメラのブロック構成を示す図である。
【図２】メニューの階層構造を示した図である。
【図３】第１の実施形態における１項目設定変更禁止ルーチンのフローチャートである。
【図４】第１の実施形態におけるグループ設定変更禁止ルーチンのフローチャートである。
【図５】第２の実施形態におけるメニュー表示を示した図である。
【図６】第２の実施形態における１項目設定変更禁止状態のメニュー表示を示した図である。
【図７】第２の実施形態におけるグループ項目設定変更禁止状態のメニュー表示を示した図である。
【図８】第３の実施形態における１項目設定変更禁止状態のメニュー表示を示した図である。
【図９】第３の実施形態における設定変更禁止状態の項目を集めたメニュー表示を示した図である。
【図１０】第４の実施形態における設定変更禁止状態の項目を変更しようとして警告を発したメニュー表示を示した図である。
【符号の説明】
【０１３４】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチSW１
６４  シャッタースイッチSW２
６６  画像表示ON/OFFスイッチ
６８  クイックレビューON/OFFスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2005175713.tif 000003
【図２】
2005175713.tif 000004
【図３】
2005175713.tif 000005
【図４】
2005175713.tif 000006
【図５】
2005175713.tif 000007
【図６】
2005175713.tif 000008
【図７】
2005175713.tif 000009
【図８】
2005175713.tif 000010
【図９】
2005175713.tif 000011
【図１０】
2005175713.tif 000012